(57)【要約】      （修正有）【課題】被介護者に不安感や恐怖感を与えることなく移乗を行え、かつ介護者への移乗の負担を軽減する移乗補助装置を提供する。【解決手段】介護者は、両股を開いて両足を床面上に位置させ、被介護者を抱きかかえるか、床面上に位置させた両足の一方の足を被介護者の両足の間に位置させつつ、被介護者を抱きかかえてから、被介護者を抱きかかえたまま介護者は後ろに倒れこむようにして椅子に座る。被介護者は、両足が可動台上に位置させた状態で介護者が椅子４に座る行動利用して介護者が被介護者を抱きかかえたまま介護者の両股の間または一方の足に跨った状態で可動台上に立った状態になる。この状態から介護者が椅子に座ったまま足で床面を蹴るようにして載置台２に対して回転させ、被介護者の位置及び向きを変える可動台を備えた構成とする。【選択図】図１
2012232101.tif 000002
【特許請求の範囲】
【請求項１】
被介護者の移乗を介護者が補助するときに使う装置であって、
床面上に載置される載置台と、前記載置台に回転可能に取り付けられたターンテーブルであり前記被介護者の両足が乗せられる可動台と、前記可動台上に立設される椅子とを備え、
前記介護者が、両股を開いて両足を前記床面上に位置させつつこの両股の間で前記可動台上に両足を位置させた前記被介護者の脇の下から両手を背中にまわして組んで前記被介護者を抱きかかえたまま後ろに倒れこむようにして前記椅子に座り、かつ、前記被介護者は、両足が可動台上に位置させた状態で前記介護者が前記椅子に座る行動で前記介護者に抱きかかえられたまま前記介護者の両股の間で前記可動台上に立った状態になり、この状態から前記介護者が椅子に座ったまま足で前記床面を蹴るようにして前記載置台に対して前記可動台を回転させるようにしたことを特徴とする移乗補助装置。
【請求項２】
被介護者の移乗を介護者が補助するときに使う装置であって、
床面上に載置される載置台と、前記載置台に回転可能に取り付けられたターンテーブルであり前記被介護者の両足が乗せられる可動台と、前記可動台上に立設される椅子とを備え、
前記介護者が、前記床面上に位置させた両足の一方の足を前記被介護者の両足の間に位置させつつ前記可動台上に両足を位置させた前記被介護者の脇の下から両手を背中にまわして組んで前記被介護者を抱きかかえたまま後ろに倒れこむようにして前記椅子に座り、かつ、前記被介護者は、両足が可動台上に位置させた状態で前記介護者が前記椅子に座る行動で前記介護者に抱きかかえられたまま前記可動台上に立った状態になり、この状態から前記介護者が前記一方の足を前記可動台上に載せて前記椅子に座ったまま他方の足で前記床面を蹴るようにして前記載置台に対して前記可動台を回転させるようにしたことを特徴とする移乗補助装置。
【請求項３】
前記可動台に、前記被介護者の両足の間に位置させた前記介護者の一方の足の踵を接触させて前記載置台に対して前記可動台の回転を抑制する凹部を設けた請求項２に記載の移乗補助装置。
【請求項４】
前記可動台の上面は、前後方向の前方から後方に向って順次前記被介護者の両足が乗せられる足乗せ部と脚取付部とに形成され、
前記椅子は、前記可動台の脚取付部に取り付けられる支持脚と、前記支持脚に支持され前記介護者が座る座部とからなるとともに、前記座部の前方側の下方に前記被介護者の両足の少なくとも前方が乗せられ得る前記足乗せ部の一部が形成されるように構成されている請求項１〜３のいずれか１項に記載の移乗補助装置。
【請求項５】
前記可動台の上面は、前後方向の前方から後方に向って順次前記被介護者の両足が乗せられる足乗せ部と脚取付部とに形成され、
前記椅子は、前記可動台の脚取付部に取り付けられる支持脚と、前記支持脚に支持され前記介護者が座る座部とからなり、
前記可動台の前方側の端部近傍の下面に、前記床面に向って延び前記可動台の前方と前記床面との間に前記被介護者の爪先が入るのを防止する足流入防止部を設けた請求項１〜４のいずれか１項に記載の移乗補助装置。
【請求項６】
前記可動台の上面は、前後方向の前方から後方に向って順次前記被介護者の両足が乗せられる足乗せ部と脚取付部とに形成され、
前記椅子は、前記可動台の脚取付部に取り付けられる支持脚と、前記支持脚に支持され前記介護者が座る座部とからなり、
前記載置台は、平面から見て前記脚取付部及び前記足乗せ部の脚取付部側の一部に相当する箇所に位置され、
前記可動台の下面の前記載置台と対向しない箇所には、前記被介護者が前記可動台に乗ったとき、先端が前記載置台を載置した前記床面上に接することで前記載置台に対して前記可動台の回転を補助する補助部材が設けられている請求項１〜５のいずれか１項に記載の移乗補助装置。
【請求項７】
前記補助部材が、キャスターである請求項６に記載の移乗補助装置。
【請求項８】
前記可動台の上面は、前後方向の前方から後方に向って順次前記被介護者の両足が乗せられる足乗せ部と脚取付部とに形成され、
前記椅子は、前記可動台の脚取付部に取り付けられる支持脚と、前記支持脚に支持され前記介護者が座る座部とからなり、
前記足乗せ部の両側部の一方又は両方には、前記足乗せ部に載せられた前記被介護者の足が側部から落ちるのを防止するストッパ部が設けられている請求項１〜７のいずれか１項に記載の移乗補助装置。
【発明の詳細な説明】
【技術分野】
【０００１】
本発明は、被介護者をベッド等から他の物に移乗させるときに使う移乗補助装置に関するものである。
【背景技術】
【０００２】
被介護者をベッドと車椅子との間等で移乗させるときに使う移乗補助装置としては、種々のものが提案され、例えば、回転式移乗用椅子が提案されている（特許文献１参照。）。この回転式移乗用椅子は、床面上に載置される円板状の載置台と、載置台の中心に立設され上端にハンドルが回転可能に取り付けられた回転軸と、回転軸の下端近傍に回転可能に取り付けられハンドルの回転に伴って回転する可動板と、可動板上に立設された椅子とを備えている。被介護者は、ベッドから椅子に乗り移って座り両足を可動板上にのせた状態で、ハンドルを回すと、可動板が回転して車椅子やトイレの近くに移動することができる。
【先行技術文献】
【特許文献】
【０００３】
【特許文献１】特開平１１−１７８８５８号公報
【発明の概要】
【発明が解決しようとする課題】
【０００４】
ところで、前述の回転式移乗用椅子は、椅子の被介護者が座る座面の高さをベッド及びトイレの高さと同じにしてベッドと椅子とを近接させたりトイレと椅子とを近接させたりすれば、被介護者がベッドと椅子との間やトイレと椅子との間でそれぞれ滑り移動することができるが、しかし、滑り移動するためには手の力が必要で手の力が弱い被介護者には介護者の補助が必要であった。また、介護者が被介護者のベッド、トイレ及び椅子に移動するのを補助したとしても、被介護者が１人で椅子に座ってハンドルを回して回転して移動するために不安感や恐怖感がある。このため、在宅で介護を行う多くの場合には、移乗補助装置が用いられておらず、依然として介護者が被介護者を抱き上げて移乗させている。すなわち、介護者が、被介護者の正面に向かいあい腰を落として中腰の状態で被介護者の脇の下から両手を背中にまわして組んで被介護者を抱きかかえて立ち上がり、被介護者を抱きかかえたままベッド、トイレ、車椅子等の近くまで歩いて移動している。その結果、介護者の多くは肉体的負担特に腰への負担が大きく腰を傷めてしまう。
【０００５】
本発明が解決しようとする課題は、被介護者に不安感や恐怖感を与えることなく移乗を安全に行え、かつ、介護者への移乗の負担を軽減することにある。
【課題を解決するための手段】
【０００６】
前記課題を解決するため、本発明に係る移乗補助装置は、被介護者の移乗を介護者が補助するときに使う装置であって、床面上に載置される載置台と、前記載置台に回転可能に取り付けられたターンテーブルであり前記被介護者の両足が乗せられる可動台と、前記可動台上に立設される椅子とを備え、前記介護者が、両股を開いて両足を前記床面上に位置させつつこの両股の間で前記可動台上に両足を位置させた前記被介護者の脇の下から両手を背中にまわして組んで前記被介護者を抱きかかえたまま後ろに倒れこむようにして前記椅子に座り、かつ、前記被介護者は、両足が可動台上に位置させた状態で前記介護者が前記椅子に座る行動で前記介護者に抱きかかえられたまま前記介護者の両股の間で前記可動台上に立った状態になり、この状態から前記介護者が椅子に座ったまま足で前記床面を蹴るようにして前記載置台に対して前記可動台を回転させるようにしたことを特徴とする。
【０００７】
また、本発明に係る移乗補助装置は、被介護者の移乗を介護者が補助するときに使う装置であって、床面上に載置される載置台と、前記載置台に回転可能に取り付けられたターンテーブルであり前記被介護者の両足が乗せられる可動台と、前記可動台上に立設される椅子とを備え、前記介護者が、前記床面上に位置させた両足の一方の足を前記被介護者の両足の間に位置させつつ前記可動台上に両足を位置させた前記被介護者の脇の下から両手を背中にまわして組んで前記被介護者を抱きかかえたまま後ろに倒れこむようにして前記椅子に座り、かつ、前記被介護者は、両足が可動台上に位置させた状態で前記介護者が前記椅子に座る行動で前記介護者に抱きかかえられたまま前記可動台上に立った状態になり、この状態から前記介護者が前記一方の足を前記可動台上に載せて前記椅子に座ったまま他方の足で前記床面を蹴るようにして前記載置台に対して前記可動台を回転させるようにしたことを特徴とする。
【０００８】
これらのように、介護者は、両股を開いて両足を床面上に位置させつつこの両股の間で可動台上に両足を位置させた被介護者の脇の下から両手を背中にまわして組んで被介護者を抱きかかえるか、または、介護者は、床面上に位置させた両足の一方の足を被介護者の両足の間に位置させつつ可動台上に両足を位置させた被介護者の脇の下から両手を背中にまわして組んで被介護者を抱きかかえてから、被介護者を抱きかかえたまま介護者は後ろに倒れこむようにして椅子に座る。これにより、被介護者は、両足が可動台上に位置させた状態で介護者が椅子に座る行動で介護者に抱きかかえられたまま介護者の両股の間で可動台上に立った状態になり、また、介護者は、自由な方向に移動することが容易となる。この状態から介護者が椅子に座ったまま足で床面を蹴るようにして載置台に対して可動台を回転させることで、被介護者の移乗を行える。このように、被介護者は、移乗の際には介護者に抱きかかえられているので、被介護者に不安感や恐怖感を与えることなく移乗を行える。また、介護者は、被介護者を抱きかかえて立たせる際に特に肉体的負担が大きいが、被介護者を抱きかかえた状態のまま後ろに倒れこむように椅子に座る際の介護者の反動で、すなわち、てこの原理を利用して介護者が被介護者を抱きかかえたまま立たせることができるので、介護者への移乗の負担が軽減される。
【発明の効果】
【０００９】
本発明によれば、被介護者に不安感や恐怖感を与えることなく移乗を行え、かつ、介護者への移乗の負担を軽減することができる。
【図面の簡単な説明】
【００１０】
【図１】本発明に係る第１の実施形態の移乗補助装置を示す斜視図である。
【図２】本発明に係る第２の実施形態の移乗補助装置を示す斜視図である。
【図３】第２の実施形態の移乗補助装置を示す斜視図である。
【図４】第２の実施形態の移乗補助装置を示す側面図である。
【図５】第２の実施形態の移乗補助装置の載置台を裏面から見た図である。
【図６】第２の実施形態の移乗補助装置を用いて被介護者の移乗を行う動作を説明する図である。
【発明を実施するための形態】
【００１１】
以下、本発明に係る移乗補助装置の実施形態を添付図面に基づいて説明する。図１に示すように、第１の移乗補助装置１は、被介護者の移乗を行うときに使うものである体位変換器で、例えば、ベッド、トイレ等から車椅子等へ、または車椅子等からベッド、トイレ等へ被介護者を移乗させるときに使うものである。なお、第１の移乗補助装置１ではベッドから車椅子に被介護者を移乗させる場合について説明するが、これに限定されるものではない。
【００１２】
第１の移乗補助装置１は、床面上に載置される載置台２と、載置台２に回転可能に取り付けられたターンテーブルであり被介護者の両足が乗せられる可動台３と、可動台３上に立設される椅子４とを備えている。移乗補助装置１の主な材質は、プラスチックなどの合成樹脂やアルミなどの金属でもよいが、木材であることが好ましい。
【００１３】
載置台２は、床面上に動き難い状態で安定して載置されるように形成されていることが好ましく、例えば、裏面である載置面が平面状に形成されたり、載置面に床面との摩擦係数が大きな滑り止め部材を設けたりして形成されていることが好ましい。載置台２の形状は、特に限定されず、円板状に形成してもよいし、図１に示すようにリング状に形成してもよい。この載置台２に対して可動台３が回転可能に取り付けられているが、この回転機構は、特に限定されず、ベアリングを用いて行うようにしてもよいし、コロやキャスター等を用いて行うようにしてもよい。第１の移乗補助装置１では、ベアリングを用いて載置台２に可動台３が回転可能に取り付けられている場合について説明するが、これに限定されるものではない。
【００１４】
可動台３は、載置台２の内周面にベアリングを介して回転可能に取り付けられるリング部３１と、リング部３１が下面に取り付けられた平板状の可動板３２とからなり、載置台２に回転可能に取り付けられたターンテーブルである。可動台３の載置台２への取付は、可動台３が載置台２に回転可能例えば３６０°回転可能に取り付けられれば、その構造は特に限定されない。リング部３１の下面は、載置台２にリング部３１すなわち可動台３が回転可能に取り付けられたとき、載置台２の下面の方が下方に位置されるようにリング部３１が形成されている。なお、可動台３をリング部３１と平板状の可動板３２とから形成した場合に、載置台２と可動板３２との間にベアリングを設けて可動台３を載置台２に回転可能に取り付けるようにしてもよい。この場合、可動台のリング部に載置台からの離脱を防止するフック部等の係合部を設けることが好ましい。
【００１５】
また、可動台３は、載置台２に回転可能に取り付けられるが、この回転可能の取り付けは、介護者が被介護者を抱きかかえたまま後ろに倒れこむように椅子４に座ったときに可動台３が載置台２に対して回転し難く、かつ、介護者が被介護者を抱きかかえて椅子４に座ったまま足で床面を蹴ったときに可動台３が載置台２に対して回転し得るように行うことが好ましい。すなわち、可動台３は、載置台２に対して回転可能であり、かつ、その回転する際に抵抗が作用して簡単に回転しないように載置台２に取り付けられていることが好ましい。
【００１６】
可動台３特に可動板３２の形状は、椅子４の立設を行え、かつ、介護者が両股を開いて両足を床面上に位置させつつこの両股の間で可動板３２上に両足を位置させた被介護者の脇の下から両手を背中にまわして組んで被介護者を抱きかかえるか、または、介護者が床面上に位置させた両足の一方の足を被介護者の両足の間に位置させつつ可動板３２上に両足を位置させた被介護者の脇の下から両手を背中にまわして組んで被介護者を抱きかかえてから、介護者が被介護者を抱きかかえたまま後ろに倒れこむようにして椅子４に座って被介護者を可動板３２上に立った状態にでき、かつ、この状態から介護者が椅子４に座ったまま足で床面を蹴るようにして可動台３を載置台２に対して回転させることができれば、その形状は特に限定されない。可動板３２の形状は、例えば、円形状や被介護者の両足が乗せられる側を前方としたとき前後方向に長い楕円形状、長円形状、矩形状等に形成される。すなわち、可動板３２の形状は、円形状でもよいが、前後方向に長い長手形状であることが好ましい。
【００１７】
可動板３２が長手形状に形成されている場合、可動板の上面の前方側が被介護者の両足がのせられる足乗せ部７として形成されている。また、可動板３２の後方は、介護者が椅子４に座る際に倒れを防止し得る長さに形成することが好ましい。また、可動板３２の両側部となる箇所であって介護者が被介護者を抱きかかえさらに椅子４に座る際に床面上に位置させる介護者の両足の近傍の箇所をそれぞれ内側に凹ませて凹部を形成し、介護者の両足の開きを狭めるようにしてもよい。凹部の形状は、例えば、湾曲形状、三角形状、多角形状等特に限定されない。例えば、可動板を、長円形状で両側部となる箇所にそれぞれ凹部を形成したいわゆるひょうたん形状に形成してもよい。
【００１８】
また、可動板３２の上面の前方側の両側すなわち足乗せ部７の両側部のいずれか一方又は両方には、足乗せ部７に乗せた被介護者の両足が側部から落ちるのを防止するストッパ部を設けるようにしてもよい。ストッパ部は、被介護者の両足が足乗せ部７の側部から落ちるのを防止することができれば、その形状は特に限定されず、板状や棒状の部材を連続的又は間欠的に可動板３２上に設けてもよいし、摩擦係数が高い部材を連続的又は間欠的に可動板３２上に設けてもよい。また、可動板３２の前端近傍の下面に、被介護者の足の爪先等の先端が可動板３２と床面との間に入るのを防止する足流入防止部を設けることが好ましい。足流入防止部は、被介護者の足の爪先等の先端が可動板３２と床面との間に入るのを防止することができればその形状は特に限定されない。
【００１９】
椅子４は、介護者が座る座部４１と、座部４１を支え可動台３の脚取付部に立設される支持脚４２とからなる。支持脚４２は、座部４１を支えることができればその形状は特に限定されず、例えば、円形、矩形などの多角形等の棒状の支持脚を１本、２本、３本、４本、５本以上用いて形成してもよいし、直線状、湾曲状、一部湾曲した形状、コ字状などの板状の支持脚を１つ、２つ以上又は複数の種類を組みわせて用いて形成してもよいし、棒状の支持脚と板状の支持脚を適宜組み合わせて形成してもよい。支持脚４２は、１つの例として、可動板３２のほぼ中央の位置に立設されている１本の支持脚からなる。支持脚４２の上端が座部４１の下面の幅方向の中央部で前後方向の前方近傍に取り付けられている。
【００２０】
座部４１は、その形状は特に限定されないが、成人が１人座れる程度の前後方向の長さ及び左右方向（幅方向）の長さの横長の略矩形状で、後端部が湾曲状に形成されてなる。座部４１の高さ方向の位置（支持脚４２の長さ）は、介護者が両股を開いて両足を床面上に位置させつつこの両股の間で可動板３２上に両足を位置させた被介護者の脇の下から両手を背中にまわして組んで被介護者を抱きかかえるか、または、介護者が床面上に位置させた両足の一方の足を被介護者の両足の間に位置させつつ可動板３２上に両足を位置させた被介護者の脇の下から両手を背中にまわして組んで被介護者を抱きかかえてから、介護者が被介護者を抱きかかえたまま後ろに倒れこむように椅子４に座ったとき、被介護者が、両足が可動板３２上に位置させた状態で介護者が椅子４に座る行動で、すなわち、てこの原理を利用して介護者が被介護者を抱きかかえたまま介護者の両股の間または介護者の一方の足に跨った状態で可動台３上に立った状態になる範囲から任意に設定される。また、座部４１の高さ方向の位置を調節可能に形成するようにしてもよく、この調節可能な構造は特に限定されない。
【００２１】
座部４１の前端部の形状は、直線状でも湾曲状でも特に限定されない。また、座部４１の形状は、前端部が支持脚４２から前方すなわち足乗せ部７の一部の上方に延びる形状に形成されていることが好ましい。これにより、被介護者の両足が乗せられる可動板３２上の足乗せ部７は、座部４１の前端部の下方にも形成され、例えば、被介護者の両足を座部４１の前端部に接触させたとき、両足の爪先を含む前方が座部４１の下方に位置されるようになっている。また、座部４１の上面及び前端部は、そのままでもよいが、クッション等の緩衝材を設けることが好ましい。
【００２２】
また、座部４１の後端部には、背もたれ４３が取り付けられていることが好ましい。背もたれ４３の形状は、特に限定されない。また、背もたれ４３又は座部４１には、手すり４４が設けられていることが好ましい。なお、手すり４４は、図１中一点鎖線で右手で掴むことができるように示されている。手すり４４は、介護者に抱きかかえられたまま可動台３上に立った被介護者が介護者の肩越しに手で掴むもので、その構造は特に限定されない。手すりとしては、例えば、図１に示すように、被介護者の片方の手で掴む箇所に形成してもよいし、被介護者の左右の両手で掴めるように幅を長くして形成してもよいし、被介護者の左右の手でそれぞれ掴む箇所が個別になるように形成してもよいし、また、手すり４４の高さを調節し得るように形成してもよい。また、椅子４には、介護者の腕を支える肘掛であるアームを１つ又は２つ設けるようにしてもよい。アームは、その形状は特に限定されず、かつ、アームが水平方向に回転し得るように形成してもよいし、アームの高さを調節し得るように形成してもよい。
【００２３】
さて、この第１の移乗補助装置１を用いてベッドから車椅子に被介護者を移乗させる場合には、まず、介護者が被介護者を抱きかかえたまま載置台２に対して可動台３を回転し得るだけのスペースが空くように車椅子をベッドに近づける。車椅子の向きは、例えば、ベッドに対向させるようにする。この車椅子とベッドとの間の床面上に移乗補助装置１を載置する。載置後、被介護者がベッドに寝ている場合には、両足を可動台３の可動板３２の足乗せ部７上に置いて移乗補助装置１と向き合うように被介護者をベッドの移乗補助装置１と対向する側の端部に座らせる。
【００２４】
介護者は、被介護者と正面に向き合い両股を開いて両足を床面上に位置させて両足を開いた立った状態になる。このとき、介護者の両足間に被介護者の両足が位置されて、介護者が被介護者を跨いだ状態になっている。この状態から、介護者の両股の間で可動台３の可動板３２上に両足を位置させた被介護者の脇の下から介護者の両手を被介護者の背中にまわして組んで介護者が被介護者を抱きかかえる。または、介護者は、床面上に位置させた両足の一方の足を被介護者の両足の間に位置させつつ可動板３２上に両足を位置させた被介護者の脇の下から両手を背中にまわして組んで被介護者を抱きかかえる。
これらのように、被介護者を抱きかかえたまま介護者が後ろに倒れこむようにして移乗補助装置１の椅子４に座る。これにより、被介護者は、両足が可動台３上に位置した状態で介護者が椅子４に座る際の反動で、すなわち、てこの原理を利用して介護者の両股の間または介護者の一方の足に跨った状態で介護者に抱きかかえられたまま可動台３上に立ちあがった状態になる。
【００２５】
このとき、椅子４に背もたれ４３が取り付けられていることで、被介護者を抱きかかえたまま介護者が後ろに倒れこむようにして移乗補助装置１の椅子４に座る際に介護者がそのまま後ろに倒れる心配がないと被介護者に安心感を持たせることができ、かつ、介護者の腰部を保護することができる。このように、介護者は、椅子４に座り、被介護者が可動板３２上に立った状態であるので、載置台２に対して可動台３を回転させることで、介護者を自由な方向に移動させることが容易となる。
【００２６】
この状態から介護者が椅子４に座ったまま片足又は両足で床面を蹴るようにして載置台２に対して可動台３を約１８０°回転させる。なお、被介護者が介護者の一方の足に跨った状態の際には、その介護者の一方の足を可動板３２上に乗せて他方の足で床面を蹴るようにして載置台２に対して可動台３を約１８０°回転させることが好ましい。これにより、介護者は約１８０°回転し、かつ、被介護者も介護者に抱きかかえられたまま約１８０°回転して被介護者のお尻の近傍に車椅子が位置される。そして、介護者は、両足を床面上に位置させて立ちあがることにより、被介護者を後ろの車椅子に座らせられる。なお、被介護者が介護者の一方の足に跨った状態で介護者の一方の足を可動板３２上に乗せている場合には、この一方の足を床面に位置させて立ちあがるようにする。これにより、被介護者をベッドから車椅子に移乗させることができる。なお、介護者は、座ったまま被介護者を移乗補助装置１から車椅子に移乗させるようにしてもよい。
【００２７】
このように、被介護者は、移乗の際には介護者に常に抱きかかえられているので、被介護者に不安感や恐怖感を与えることなく安全に移乗を行える。また、介護者は、被介護者を抱きかかえて立たせる際に特に肉体的負担が大きいが、被介護者を抱きかかえた状態のまま後ろに倒れこむように椅子４に座る際の介護者の反動で、すなわち、てこの原理を利用して介護者が被介護者を抱きかかえたまま立たせることができるので、介護者への移乗の負担が軽減される。
【００２８】
したがって、第１の移乗補助装置１は、被介護者に不安感や恐怖感を与えることなく移乗を安全に行え、かつ、介護者への移乗の負担を軽減することができる。また、第１の移乗補助装置１は、取り扱いが容易で便利で、簡単な構造で低コストで、かつ、汎用性が高いものである。
【００２９】
被介護者の両足が乗せられる可動台３の足乗せ部７は、座部４１の前端部の下方の可動台３上に形成されていることや座部４１の前端部が湾曲状に凹んで形成されていることで、介護者が椅子４に深く腰掛けても被介護者から離れることなく被介護者を抱きかかえることができる。また、被介護者の足のすね等が座部４１の前端部に当たっても前端部にクッション等の緩衝材が設けられていることで、被介護者に一層不快感や痛みを与えることがない。
【００３０】
また、支持脚４２の両側の可動台３上も足乗せ部７として形成されていることで、被介護者が両足を乗せる箇所が一見してわかるので、安心して被介護者は両足を可動台３上に乗せることができ、かつ、可動台３上に乗せた両足は互いに足がついた状態ではなく開いた状態であるので、可動台３上に立ち上がった状態では両足がついた場合に比べて足底部分が安定して例えば肩幅ぐらい両足を開くと特に足底部分が安定して被介護者に不安感や恐怖感がない。
【００３１】
また、被介護者をベッドから移乗補助装置１の可動台３上に立たせるとき等に被介護者の衣類等が床や可動台３上に落ちたときには、介護者は、移乗補助装置１の椅子４に座りこの座ったまま片方の手で落ちた衣類等を拾い上げることが可能である。このとき、残りの手で被介護者を抱きかかえかつ被介護者を介護者に密着させることで、被介護者に不安感や恐怖感を与えることがない。すなわち、被介護者に不安感や恐怖感を与えることなく安心して衣類等を拾うことができる。また、被介護者の衣類が乱れているときには、介護者は、移乗補助装置１の椅子４に座ったまま片方の手で乱れた衣類を直すことができる。このときも、残りの手で被介護者を抱きかかえかつ被介護者を介護者に密着させることで、被介護者に不安感や恐怖感を与えることがなく安心して衣類を直すことができる。さらに、被介護者の着替えやトイレ、お風呂等の後のお世話をするときに、被介護者を立たせた状態で介護者が移乗補助装置１の椅子４に座って片方の手でお世話を行い、残りの手で被介護者を抱きかかえかつ被介護者を介護者に密着させることで、被介護者に不安感や恐怖感を与えることなく安心して被介護者のお世話を行うことができる。
【００３２】
椅子４に、介護者に抱きかかえられたまま可動台３上に立った被介護者が介護者の肩越しに両手又は一方の手で掴む手すりを設けることで、移乗を行う際、特に可動台３を載置台２に対して回転させる際には、被介護者に一層不安感や恐怖感を与えることなく移乗を行える。
椅子４の座部４１の高さ方向の位置や手すりの高さ方向の位置がそれぞれ調節可能に形成されていることで、介護者や被介護者の体格に応じて椅子４の座部４１の高さや手すりの位置を調節できるので、被介護者に一層不安感や恐怖感を与えることなく移乗を行え、かつ、第１の移乗補助装置１は、汎用性が高いものである。
【００３３】
また、可動台３例えば可動板３２の後方側の端部に、前記の可動板３２の中心線を軸に対称にキャスターを２個取り付けるようにしてもよい。キャスターの取り付けは、移乗の際特に載置台２に対して可動台３を回転させる際にその回転を妨げず、かつ、背もたれ４３や後方支持脚、手すりを掴み移乗補助装置１を後方側に傾けたときにキャスターが床面に接するように行う。これにより、移乗補助装置１の移動を簡単に行えるようになる。
【００３４】
図２〜図６は、第２の移乗補助装置を示す図である。第２の移乗補助装置は、第１の移乗補助装置１と同様に、被介護者の移乗を行うときに使うものである体位変換器で、例えば、ベッド、トイレ等から車椅子等へ、または車椅子等からベッド、トイレ等へ被介護者を移乗させるときに使うものである。なお、第２の移乗補助装置１０では車椅子から例えばベッド等の所望の箇所へ被介護者を移乗させる場合について説明するが、これに限定されるものではない。
【００３５】
図２〜図５に示すように、第２の移乗補助装置１０は、床面上に載置される載置台１２と、載置台１２に回転可能に取り付けられたターンテーブルであり被介護者の両足が乗せられる可動台１３と、可動台１３上に立設される椅子１４とを備え、第１の移乗補助装置１と比べて載置台１２、可動台１３及び椅子１４の形状が異なるだけで第１の移乗補助装置１と略同じ部材で構成されている。なお、第２の移乗補助装置１０に用いられる部材については、第１の移乗補助装置１に用いられる部材と形状等が異なるだけで本質は同じものであるので、その説明を省略することがある。
【００３６】
載置台１２は、例えば、合板により円板状に形成されている。この載置台１２に対して可動台１３が回転機構１５を介して回転可能に取り付けられているが、この回転機構１５は、特に限定されず、公知の構造を用いることができる。
【００３７】
可動台１３は、例えば、合板により長円形状というより矩形の４角を湾曲した略矩形状に形成されている。可動台１３は、長手方向が前後方向として形成されている。可動台１３の幅方向（左右方向）の長さは、介護者の片方の足を両足間に位置させた状態で被介護者が両足で立てることが十分にできる寸法であって載置台１２の直径より長い例えば若干長い寸法で形成されている。可動台１３の下面には、載置台１２が回転機構１５を介して取り付けられている。この取付は、回転の中心が可動台１３の前後方向の中央より後方側に偏心した位置及び可動台１３の幅方向の中央の位置であって平面から見たとき可動台１３に載置台１２が隠れるような位置になるように行われている。また、可動台１３の上面の前後方向の略中央部から前方側が、被介護者の両足及び介護者の片足が十分に乗せられる足乗せ部１７として形成され、残りの略中央部から後方側が脚取付部１８として形成されている。すなわち、可動台１３の上面は、前後方向の前方から後方に向って順次被介護者の両足が乗せられる足乗せ部１７と脚取付部１８とに形成されている。
【００３８】
足乗せ部１７の被介護者の両足が乗せられる各箇所には、被介護者の足が滑るのを抑制する滑り抑制部を設けることが好ましい。滑り抑制部としては、被介護者の足が滑るのを抑制できれば特に限定されず、例えば、摩擦係数が高い物質を張り付けたりしてもよいし、図示するように、幅方向に延びる凹部６１を前後方向に間隔をあけて複数設けて形成したりしてもよい。
【００３９】
また、足乗せ部１７の両側部の一方又は両方図示例では両方には、足乗せ部１７に乗せた被介護者の両足が側部から落ちるのを防止するストッパ部１９を設けるようにしてもよい。ストッパ部１９は、被介護者の両足が足乗せ部１７の側部から落ちるのを防止することができれば、その形状は特に限定されず、板状や棒状の部材を連続的又は間欠的に可動台１３上に設けてもよいし、摩擦係数が高い部材を連続的又は間欠的に可動台１３上に設けてもよい。ストッパ部１９は、具体的には例えば、図２及び図３に示すように、棒状部材を側部に沿って設けて形成するようにしてもよい。
【００４０】
可動台１３の前端部の略中央部には、図２、図３及び図５に示すように、介護者の一方の足の踵を接触させて載置台１２に対して可動台１３の回転を抑制する凹部２０が設けられていることが好ましい。凹部２０は、介護者の一方の足の踵を接触させて載置台１２に対して可動台１３の回転を抑制することができればその形状は特に限定されず、例えば、断面湾曲状に形成されている。
【００４１】
可動台１３の前端部近傍の下面には、図２〜図５に示すように、被介護者の足の爪先等の先端が可動台１３と床面との間に入るのを防止する足流入防止部２１が設けられていることが好ましい。足流入防止部２１は、被介護者の足の爪先等の先端が可動台１３と床面との間に入るのを防止することができればその形状は特に限定されない。足流入防止部２１は、例えば、可動台１３の下面から床面に向って突出して先端が床面に近接するような棒状部材を可動台１３の前端部近傍の下面に取り付けて形成されている。足流入防止部２１の前方側の略中央部にも凹部２０が設けられている。また、足流入防止部２１の前方側は、そのままでもよいが、クッション等の緩衝材を設けることが好ましい。これにより、被介護者の足の爪先が足流入防止部２１に接触しても痛みや不快感を与えることがない。また、介護者の一方の足の踵を接触させたときにも痛みや不快感を与えることがない。
【００４２】
可動台１３の下面の載置台１２と対向しない箇所、例えば、前方の両側部の近傍の２箇所には、被介護者が可動台１３に乗ったとき、先端が載置台１２を載置した床面上に接することで載置台１２に対して可動台１３の回転を補助する補助部材がそれぞれ設けられていることが好ましい。補助部材としては、被介護者が可動台１３に乗ったとき、先端が載置台１２を載置した床面上に接することで載置台１２に対して可動台１３の回転を補助することができれば特に限定されず、例えば、先端が半球状の棒状部材を床面方向に突出させて形成してもよいし、コロ、ボールキャスター、ホイールキャスター２２等を用いてもよい（図４及び図５参照。）。補助部材（キャスター２２）の設置個所は、特に限定されないが、足流入防止部２１の近傍であることが好ましい。
【００４３】
椅子１４は、可動台１３の脚取付部１８に取り付けられる支持脚４６ａ、４６ｂ、４６ｃと、支持脚４６ａ、４６ｂ、４６ｃに支持され介護者等が座る座部４５とからなる。支持脚４６ａ、４６ｂ、４６ｃは、座部４５を支えることができればその形状は特に限定されず、例えば、円形、矩形などの多角形等の棒状の支持脚を１本、２本、３本、４本、５本以上用いて形成してもよいし、直線状、湾曲状、一部湾曲した形状、コ字状などの板状の支持脚を１つ、２つ以上又は複数の種類を組みわせて用いて形成してもよいし、棒状の支持脚と板状の支持脚を適宜組み合わせて形成してもよい。支持脚４６ａ、４６ｂ、４６ｃは、例えば、この第２の移乗補助装置１０では５本の支持脚で形成されている。５本の支持脚４６ａ、４６ｂ、４６ｃの内前方に位置される１本の支持脚（前方支持脚）４６ａは、可動台１３の前後方向の中央よりやや前方側で左右方向の略中央の位置に立設されている。残りの４本の支持脚の内２本の支持脚（中央委支持脚）４６ｂは、可動台１３の前後方向の略中央部で両側部近傍の位置にそれぞれ立設されている。残りの２本の支持脚（後方支持脚）４６ｃは、可動台１３の後端部の両角部近傍の２箇所にそれぞれ立設されている。
【００４４】
前方支持脚４６ａ及び２本の中間支持脚４６ｂの長さ（高さ方向の長さ）は、上端に座部４５の下面が接し得る寸法でそれぞれ形成されている。２本の後方支持脚４６ｃの長さ（高さ方向の長さ）は、例えば、前方支持脚４６ａの長さの略２倍の寸法で形成されている。２本の後方支持脚４６ｃの上方と中央部の間と上端との２箇所には、それぞれ湾曲状の背もたれ４９ａ、４９ｂが取り付けられている。２つの背もたれ４９ａ、４９ｂの略中央部は、高さ方向に延びる補強部材４９ｃで連結されている。
【００４５】
２本の中間支持脚４６ｂの下端近傍は、可動台１３の上面に接しながら前後方向の略中央部であってその左右方向に直線状に延びる第１補強部材４７ａで連結されている。２本の後方支持脚４６ｃの下端近傍は、可動台の上面に接しながら左右方向に延び後方側に湾曲する第２補強部材４７ｂで連結されている。第２補強部材４７ｂの略中央部と前方支持脚４６ａの略中央部とは、第２補強部材４７ｂから可動台１３の上面に接しながら前方に延びてから上方に斜めに延びる第３補強部材４７ｃで連結されている。
【００４６】
また、前方支持脚４６ａの上方側部と２本の後方支持脚４６ｃの略中央部とは、直線状に延びる２本の第１支持部材４８ａでそれぞれ連結されている。２本の第１支持部材４８ａのそれぞれの後方支持脚４６ｃ近傍は、左右方向に延び後方側に湾曲する第２支持部材４８ｂで連結されている。２本の第１支持部材４８ａの略中央部と２本の中間支持脚４６ｂの上方側部とは、左右方向に直線状に延びる第３支持部材４８ｃでそれぞれ連結されている。これら前方支持脚４６ａの上端面、２本の中間支持脚４６ｂの上端面、２本の第１支持部材４８ａの上面、第２支持部材４８ｂの上面、及び２本の第３支持部材４８ｃの上面が略同一平面上に位置され、これらの上に座部４５が取り付けられている。
【００４７】
座部４５は、その形状は特に限定されないが、成人が１人座れる程度の前後方向の長さ及び左右方向（幅方向）の長さの横長の略矩形状で、後端部が第２支持部材４８ｂと略同じ湾曲状に形成されてなる。座部４５は、前方支持脚４６ａの上端面、２本の中間支持脚４６ｂの上端面、２本の第１支持部材４８ａの上面、第２支持部材４８ｂの上面、及び２本の第３支持部材４８ｃの上面に載置された状態で例えばボルトやビス等で２本の第１支持部材４８ａに取り付けられている。座部４５の幅方向の長さは、可動台１３の幅方向の長さと略同じ寸法で形成されている。座部４５は、前端部が可動台１３の前後方向の中央部と前端との間の略中央部に位置され、かつ、後端部が可動台１３の後方近くに位置されるような前後方向の長さで形成されている。これにより、被介護者の両足が乗せられる可動台３上の足乗せ部１７は、第１補強部材４７ａより前方の座部４５の下方を含む範囲で形成されている。すなわち、被介護者の両足が乗せられる可動台１３上の足乗せ部１７は、座部４５の前端部の下方にも形成され、例えば、被介護者の両足を座部４５の前端部に接触させたとき、両足の爪先を含む前方が座部４５の下方に位置されるようになっている。また、座部４５の上面及び前端部は、そのままでもよいが、クッション等の緩衝材を設けることが好ましい。
【００４８】
座部４５の高さ方向の位置は、介護者が両股を開いて両足を床面上に位置させつつこの両股の間で可動台１３上に両足を位置させた被介護者の脇の下から両手を背中にまわして組んで被介護者を抱きかかえるか、または、介護者が床面上に位置させた両足の一方の足を被介護者の両足の間に位置させつつ可動台１３上に両足を位置させた被介護者の脇の下から両手を背中にまわして組んで被介護者を抱きかかえてから、介護者が被介護者を抱きかかえたまま後ろに倒れこむようにして椅子４に座って被介護者を可動台１３上に立った状態になる範囲から任意に設定される。また、座部４５の高さ方向の位置を調節可能に形成するようにしてもよく、この調節可能な構造は特に限定されない。
【００４９】
さて、この第２の移乗補助装置１０を用いて車椅子から例えばベッド等の所望の箇所へ被介護者を移乗させる場合には、まず、介護者が被介護者を抱きかかえたまま載置台１２に対して可動台１３を回転し得るだけのスペースが空くように車椅子を移動させる。車椅子の向きは、例えば、ベッドに対向させるようにする。この車椅子とベッドとの間の床面上に移乗補助装置１０を載置する。載置後、車椅子に乗っている被介護者の両足を可動台１３の足乗せ部１７上に置く。このとき、可動台１３の前端部近傍の下面に足流入防止部２１が設けられていると、被介護者が両足を可動台１３の足乗せ部１７上に置くときに、被介護者の足の爪先等の先端が可動台１３と床面との間に入るのが防止されるので、安全に確実に被介護者が両足を可動台１３の足乗せ部１７上に置くことができる。
【００５０】
介護者は、一方の足を被介護者の両足間に位置させつつ両足を床面上に位置させる。このとき、介護者は図６（ａ）に示すように移乗補助装置１０に座った状態でもよいし、立った状態でもよい。介護者Ｂは移乗補助装置１０に座っている場合に、一方の足を被介護者Ａの両足間に位置させたまま立ち上がる。この立った状態から介護者Ｂは、被介護者Ａの脇の下から両手を背中にまわして組んで被介護者Ａを抱きかかえる（図６（ｂ）参照。）。または、介護者は、被介護者と正面に向き合い両股を開いて両足を床面上に位置させて両足を開いた立った状態から、被介護者の脇の下から両手を背中にまわして組んで被介護者を抱きかかえる。
【００５１】
被介護者Ａを抱きかかえたまま介護者Ｂが後ろに倒れこむようにして移乗補助装置１０の椅子１４に座る（図６（ｃ）参照。）。これにより、被介護者Ａは、両足が可動台１３上に位置した状態で介護者Ｂが椅子１４に座る際の反動で、すなわち、てこの原理を利用して介護者Ｂの一方の足に跨った状態または介護者の両股の間で介護者Ｂに抱きかかえられたまま可動台１３上に立ちあがった状態になる。
【００５２】
このとき、可動台１３の前端部の略中央部に凹部２０が設けられていると、介護者Ｂが一方の足を被介護者Ａの両足の間に位置させつつ被介護者Ａを抱きかかえてから後ろに倒れこむようにして移乗補助装置１０の椅子１４に座り、かつ、この行動により被介護者Ａが可動台１３上に立った状態になるときに、その一方の足の踵を凹部２０に接触させることで、介護者Ｂが椅子１４に座るとともに被介護者Ａを可動台１３上に立たせるときに、載置台１２に対して可動台１３の回転が抑制されるので、被介護者Ａに不安感や恐怖感を与えることなく可動台１３上に安全に立たせることができる。
【００５３】
また、椅子１４に背もたれ４９ａが取り付けられていると、被介護者Ａを抱きかかえたまま介護者Ｂが後ろに倒れこむようにして移乗補助装置１０の椅子１４に座る際に介護者Ｂがそのまま後ろに倒れる心配がないと被介護者Ａに安心感を持たせることができ、かつ、介護者Ｂの腰部を保護することができる。このように、介護者Ｂは、椅子１４に座り、被介護者Ａが可動台１３上に立った状態であるので、載置台１２に対して可動台１３を回転させることで、介護者Ｂを自由な方向に移動させることが容易となる。
【００５４】
載置台１２上に被介護者Ａを立たせた状態から、被介護者Ａが介護者Ｂの一方の足に跨っているときには、その介護者Ｂの一方の足を可動台１３上に乗せて他方の足で床面を蹴るようにして載置台１２に対して可動台１３を約１８０°回転させる（図６（ｄ）〜（ｆ）参照。）。なお、介護者Ｂは、一方の足を可動台１３上に乗せないで、片足又は両足で床面を蹴るようにして載置台１２に対して可動台１３を回転させるようにしてもよい。または、介護者が椅子１４に座ったまま片足又は両足で床面を蹴るようにして載置台１２に対して可動台１３を約１８０°回転させる。これにより、介護者Ｂは約１８０°回転し、かつ、被介護者Ａも介護者Ｂに抱きかかえられたまま約１８０°回転して被介護者Ａのお尻の近傍に例えばベッド等の所望の箇所が位置される。そして、介護者Ｂは、両足を床面上に位置させて立ちあがることにより、被介護者Ａを後ろのベッド等に座らせられる。なお、被介護者Ａが介護者Ｂの一方の足に跨った状態で介護者Ｂの一方の足を可動台１３上に乗せている場合には、この一方の足を床面に位置させて立ちあがるようにする。これにより、被介護者Ａを車椅子９からベッド等に移乗させることができる。なお、介護者Ｂは、座ったまま被介護者Ａを移乗補助装置１０からベッド等に移乗させるようにしてもよい。
【００５５】
このように、被介護者Ａは、移乗の際には介護者Ｂに常に抱きかかえられているので、被介護者Ａに不安感や恐怖感を与えることなく安全に移乗を行える。また、介護者Ｂは、被介護者Ａを抱きかかえて立たせる際に特に肉体的負担が大きいが、被介護者Ａを抱きかかえた状態のまま後ろに倒れこむように椅子１４に座る際の介護者Ｂの反動で、すなわち、てこの原理を利用して介護者Ｂが被介護者Ａを抱きかかえたまま立たせることができるので、介護者Ｂへの移乗の負担が軽減される。
【００５６】
したがって、第２の移乗補助装置１０は、被介護者Ａに不安感や恐怖感を与えることなく移乗を安全に行え、かつ、介護者Ｂへの移乗の負担を軽減することができる。また、第２の移乗補助装置１０は、取り扱いが容易で便利で、簡単な構造で低コストで、かつ、汎用性が高いものである。
【００５７】
被介護者Ａの両足が乗せられる可動台１３の足乗せ部１７は、座部４５の前端部の下方の可動台１３上に形成されていることで、介護者Ｂが椅子１４に深く腰掛けても被介護者Ａから離れることなく被介護者Ａを抱きかかえることができる。また、被介護者Ａの足のすね等が座部４５の前端部に当たっても前端部にクッション等の緩衝材が設けられていることで、被介護者Ａに一層不快感や痛みを与えることがない。
【００５８】
また、前方支持脚４６ａの両側の可動台１３上も足乗せ部１７として形成されていることで、被介護者Ａが両足を乗せる箇所が一見してわかるので、安心して被介護者Ａは両足を可動台１３上に乗せることができ、かつ、可動台１３上に乗せた両足は互いに足がついた状態ではなく開いた状態であるので、可動台１３上に立ち上がった状態では両足がついた場合に比べて足底部分が安定して例えば肩幅ぐらい両足を開くと特に足底部分が安定して被介護者Ａに不安感や恐怖感がない。
【００５９】
また、被介護者Ａを車椅子９から移乗補助装置１０の可動台１３上に立たせるとき等に被介護者Ａの衣類等が床や可動台１３上に落ちたときには、介護者Ｂは、移乗補助装置１０の椅子１４に座りこの座ったまま片方の手で落ちた衣類等を拾い上げることが可能である。このとき、残りの手で被介護者Ａを抱きかかえかつ被介護者Ａを介護者Ｂに密着させることで、被介護者Ａに不安感や恐怖感を与えることがない。すなわち、被介護者Ａに不安感や恐怖感を与えることなく安心して衣類等を拾うことができる。また、被介護者Ａの衣類が乱れているときには、介護者Ｂは、移乗補助装置１０の椅子１４に座ったまま片方の手で乱れた衣類を直すことができる。このときも、残りの手で被介護者Ａを抱きかかえかつ被介護者Ａを介護者Ｂに密着させることで、被介護者Ａに不安感や恐怖感を与えることがなく安心して衣類を直すことができる。さらに、被介護者Ａの着替えやトイレ、お風呂等の後のお世話をするときに、被介護者Ａを立たせた状態で介護者Ｂが移乗補助装置１０の椅子１４に座って片方の手でお世話を行い、残りの手で被介護者Ａを抱きかかえかつ被介護者Ａを介護者Ｂに密着させることで、被介護者Ａに不安感や恐怖感を与えることなく安心して被介護者Ａのお世話を行うことができる。
【００６０】
可動台１３の下面に補助部材例えばキャスター２２が設けられていることで、被介護者Ａが可動台１３に乗ったとき、先端が載置台１２を載置した床面上に接することで載置台１２に対して可動台１３の回転が補助されるので、例えば、床面が毛足の長いカーペットや絨毯の場合に足流入防止部２１がカーペットや絨毯に当たって可動台１３の回転に影響するときにはその影響をなくすか少なくして載置台１２に対して可動台１３の回転を安定して行えるようになる。
【００６１】
椅子１４に、介護者Ｂに抱きかかえられたまま可動台１３上に立った被介護者Ａが介護者Ｂの肩越しに両手又は一方の手で掴む手すりを設けることで、移乗を行う際、特に可動台１３を載置台１２に対して回転させる際には、被介護者Ａに一層不安感や恐怖感を与えることなく移乗を行える。
椅子１４の座部４５の高さ方向の位置や手すりの高さ方向の位置がそれぞれ調節可能に形成されていることで、介護者Ｂや被介護者Ａの体格に応じて椅子１４の座部４５の高さや手すりの位置を調節できるので、被介護者Ａに一層不安感や恐怖感を与えることなく移乗を行え、かつ、移乗補助装置１０は、汎用性が高いものである。
【００６２】
また、可動台１３の後方側の端部近傍の下面に、図３〜図５に示すように、前記の可動台１３の中心線を軸に対称にキャスター２５を２個取り付けるようにしてもよい。キャスター２５の取り付けは、移乗の際特に載置台１２に対して可動台１３を回転させる際にその回転を妨げず、かつ、背もたれ４９ａ、４９ｂや後方支持脚４６ｃ、手すりを掴み移乗補助装置１０を後方側に傾けたときにキャスター２５が床面に接するように行う。これにより、移乗補助装置１０の移動を簡単に行えるようになる。
【符号の説明】
【００６３】
１  移乗補助装置
２  載置台
３  可動台
４  椅子
７  足乗せ部
９  車椅子
１０  移乗補助装置
１２  載置台
１３  可動台
１４  椅子
１７  足乗せ部
１８  脚取付部
１９  ストッパ部
２０  凹部
２１  足流入防止部
２２  キャスター
３１  リング部
３２  可動板
４１  座部
４２  支持脚
４５  座部
４６ａ、４６ｂ、４６ｃ  支持脚
Ａ  被介護者
Ｂ  介護者
【図１】
2012232101.tif 000003
【図２】
2012232101.tif 000004
【図３】
2012232101.tif 000005
【図４】
2012232101.tif 000006
【図５】
2012232101.tif 000007
【図６】
2012232101.tif 000008